(57)【要約】【課題】ラケットハンドルにおいて、人間工学的な性質を付与すると共に使用時の高い正確性を保証する。【解決手段】ハンドル（２）は、第一のくびれ部（E1）と、大径部（R1）と、別のくびれ部（E2）とによって形成される第一の球状部（１０）を少なくとも有する。第一の球状部（１０）は全ての箇所において八角形の断面を有し、その八角形は長方形（１２）を四つの面取り部（１４）において面取りすることによって形成されている。第一の球状部（１０）の横断面の寸法は各くびれ部（E1、E2）から大径部（R1）に向かってほぼ連続的に増大しており、その横断面の寸法は一定の範囲内になるように設定されている。【選択図】図１
2007209753.tif 000002
【特許請求の範囲】
【請求項１】
テニスラケットのハンドル（２）であって、
少なくとも一つの第一の球状部（１０）を有し、第一の球状部（１０）は、ハンドルの自由端の方向に位置する末端のくびれ部すなわち第一のくびれ部（E1）と、第一の大径部（R1）と、他のくびれ部すなわち中間のくびれ部（E2）とによって形成され、
第一の球状部（１０）は全ての箇所において八角形の断面を有し、その八角形は長方形（１２）をその各辺に対して４５°の角度で配置された四つの面取り部（１４）において面取りすることによって形成されており、第一の球状部（１０）の横断面の寸法は各くびれ部（E1、E2）から大径部（R1）に向かってほぼ連続的に増大しており、
第一の球状部（１０）の横断面の寸法が一定の範囲内、すなわち、A、B及びCがそれぞれ前記長方形（１２）の長さ及び幅及び各面取り部（１４）の長さを表す場合において、第一のくびれ部（E1）、第一の大径部（R1）及び第二のくびれ部（E2）におけるＡ、Ｂ及びＣの寸法が、
・AE1は３１．２５ｍｍから３３．２５ｍｍの範囲内、
・BE1は２７ｍｍから２９ｍｍの範囲内、
・CE1は８ｍｍから１４ｍｍの範囲内、
・AR1は３４．５ｍｍから３６．５ｍｍの範囲内、
・BR1は３０ｍｍから３２ｍｍの範囲内、
・CR1は１０ｍｍから１６ｍｍの範囲内、
・AE2は３０．５ｍｍから３２．５ｍｍの範囲内、
・BE2は２６．５ｍｍから２８．５ｍｍの範囲内、
・CE2は８ｍｍから１４ｍｍの範囲内、
になるように設定されているテニスラケットのハンドル。
【請求項２】
AE1が３１．７５ｍｍから３２．７５ｍｍの範囲内であり、３２．１５ｍｍから３２．３５ｍｍの範囲内であることが有益であり、特に３２．２５ｍｍであることが最も有益であり、BE1が２７．５ｍｍから２８．５ｍｍの範囲内であり、２７．９ｍｍから２８．１ｍｍの範囲内であることが有益であり、特に２８ｍｍであることが最も有益であり、さらに、CE1が９ｍｍから１３ｍｍの範囲内であり、９．７５ｍｍから１２．３ｍｍの範囲内であることが有益であり、特に１１ｍｍであることが最も有益である請求項１に記載のテニスラケットのハンドル。
【請求項３】
AR1が３５ｍｍから３６ｍｍの範囲内であり、３５．４ｍｍから３５．６ｍｍの範囲内であることが有益であり、特に３５．５ｍｍであることが最も有益であり、BR1が３０．５ｍｍから３１．５ｍｍの範囲内であり、３０．９ｍｍから３１．１ｍｍの範囲内であることが有益であり、特に３１ｍｍであることが最も有益であり、さらに、CR1が１１ｍｍから１４．７５ｍｍの範囲内であり、１１．５ｍｍから１４．２５ｍｍの範囲内であることが有益であり、特に１３ｍｍであることが最も有益である請求項１又は請求項２に記載のテニスラケットのハンドル。
【請求項４】
AE2が３１ｍｍから３２ｍｍの範囲内であり、３１．４ｍｍから３１．６ｍｍの範囲内であることが有益であり、特に３１．５ｍｍであることが最も有益であり、BE2が２７ｍｍから２８ｍｍの範囲内であり、２７．４ｍｍから２７．６ｍｍの範囲内であることが有益であり、特に２７．５ｍｍであることが最も有益であり、CE2が９ｍｍから１３ｍｍの範囲内であり、９．４ｍｍから１２ｍｍの範囲内であることが有益であり、特に１０．７ｍｍであることが最も有益である請求項１から請求項３のいずれか一項に記載のテニスラケットのハンドル。
【請求項５】
各くびれ部（E1、E2）及び大径部（R1）において、前記ハンドル（２）の外部表面が三つの接線（T1-T3）を形成しており、それらの接線がハンドルの主軸（X-X）と平行である請求項１から請求項４のいずれか一項に記載のテニスラケットのハンドル。
【請求項６】
ハンドルの主軸（X-X）に沿った長さのうち、末端のくびれ部（E1）と第一の大径部（R1）との間の長さ（ｌ1）が、２５ｍｍから５０ｍｍの範囲内であり、３０ｍｍから４０ｍｍの範囲内であることが好ましく、３４ｍｍから３６ｍｍの範囲内であることがより好ましく、特に３５ｍｍであることが最も好ましい請求項１から請求項５のいずれか一項に記載のテニスラケットのハンドル。
【請求項７】
ハンドルの主軸（X-X）に沿った長さのうち、第一の大径部（R1）と中間のくびれ部（E2）との間の長さ（ｌ2）が、３５ｍｍから６０ｍｍの範囲内であり、４５ｍｍから５５ｍｍの範囲内であることが好ましく、４９ｍｍから５１ｍｍの範囲内であることがより好ましく、特に５０ｍｍであることが最も好ましい請求項１から請求項６のいずれか一項に記載のテニスラケットのハンドル。
【請求項８】
第二の球状部（２０）をさらに有し、
第二の球状部（２０）は、前記中間のくびれ部（E2）と、第二の大径部（R2）と、末端のくびれ部（E1）と対向状に位置する連結側のくびれ部（E3）とによって形成され、
第二の球状部（２０）は全ての箇所において八角形の断面を有し、その寸法が中間のくびれ部（E2）から第二の大径部（R2）までほぼ連続的に変化し、第二の大径部（R2）における前記ハンドルの横断面の寸法が、第一の大径部（R1）における前記ハンドルの横断面の寸法と一致するように設定されている請求項１から請求項７のいずれか一項に記載のテニスラケットのハンドル。
【請求項９】
ハンドルの主軸（X-X）に沿った長さのうち、中間のくびれ部（E2）と第二の大径部（R2）との間の長さ（ｌ３）が２０ｍｍから７０ｍｍの範囲内であり、４０ｍｍから５０ｍｍの範囲内であることが好ましく、４４ｍｍから４６ｍｍの範囲内であることがより好ましく、特に４５ｍｍであることが最も好ましい請求項８に記載のテニスラケットのハンドル。
【請求項１０】
テニス、バドミントン若しくはスカッシュ用ラケットのようなラケットであって、
請求項１から請求項９のいずれか一項に記載のハンドルを含むラケット。
【請求項１１】
一群のラケットハンドルであって、
それらのハンドルは、標準ハンドルと呼ばれる請求項１から請求項１０のいずれか一項に記載のハンドルと、ｎハンドルと呼ばれるハンドルと、ｍハンドルと呼ばれるハンドルとを含み、
ｎハンドルにおいては、ｎは１以上であり、それぞれが前記標準ハンドルの横断面の寸法より小さい横断面の寸法を有し、
ｍハンドルにおいては、ｍは１以上であり、それぞれが前記標準ハンドルの横断面の寸法より大きい横断面の寸法を有し、
小さいサイズの各ハンドルの横断面の寸法は、１からｎの範囲内の各整数−iに対して規定され、以下の式、
・AE1(-i)=AE1-iA'
・BE1(-i)=BE1-iB'
・CE1(-i)=CE1-iC'
・AR1(-i)=AR1-iA'
・BR1(-i)=BR1-iB'
・CR1(-i)=CR1-iC'
・AE2(-i)=AE2-iA'
・BE2(-i)=BE2-iB'
・CE2(-i)=CE2-iC'
によって表され、また、大きいサイズの各ハンドルの横断面の寸法は、１からｍの範囲内の各整数ｊに対して規定され、以下の式、
・AE1(+j)=AE1+jA'
・BE1(+j)=BE1+jB'
・CE1(+j)=CE1+jC'
・AR1(+j)=AR1+jA'
・BR1(+j)=BR1+jB'
・CR1(+j)=CR1+jC'
・AE2(+j)=AE2+jA'
・BE2(+j)=BE2+jB'
・CE2(+j)=CE2+jC'
によって表され、式中、A'及びB'が０．５ｍｍから１．５ｍｍの範囲内であり、C'が０．２５ｍｍから１ｍｍの範囲内である一群のラケットハンドル。
【請求項１２】
A'が１ｍｍから１．３ｍｍの範囲内であり、特に１．１５ｍｍであることが有益であり、B'が０．９ｍｍから１．１ｍｍの範囲内であり、特に１．０ｍｍであることが有益であり、C'が０．５５ｍｍから０．７５ｍｍの範囲内であり、特に０．６５ｍｍであることが有益である請求項１２に記載の一群のラケットハンドル。
【請求項１３】
一群のラケットであって、
請求項１１若しくは請求項１２に記載の一群のラケットハンドルに属する対応するハンドルを有する一群のラケット。
【発明の詳細な説明】
【技術分野】
【０００１】
本発明は、ラケットハンドル、そのようなハンドルを含むラケット、前記ハンドルを含む一群のハンドル、及び前記ラケットを含む一群のラケットに関する。
【背景技術】
【０００２】
本発明のハンドルは、あらゆる種類のラケットを使うスポーツ、特にテニス、バドミントン又はスカッシュにおいて用いるのに適している。従来のように、そのようなラケットは、前記ハンドルに加えて、バドミントン、テニスまたはスカッシュ用のストリング、若しくは堅い打球面を形成するフレームを有する。
【０００３】
通常、ラケットのハンドルは、多角形、ほとんどの場合は八角形の断面を有し、その横断面の寸法はハンドルに沿って常に一定である。それ故、ハンドルが掌の湾曲に対応していないならば、多角形であることはハンドルの形状が人間工学的ではない場合においては欠点となる。
【０００４】
そこで、そのようなハンドルに対して、より人間工学的な性質を付与しようと様々な解決策が提案されてきた。
【０００５】
このため、欧州特許第0291576号に開示されているラケットハンドルにおいては、手で握る部分が角の無い丸い断面を有し、また、より大きな横方向の寸法を有する大径部を有する。その両端においては、角の無い部分は多角形断面の接触部分へと変化している。
【０００６】
それにもかかわらず、そのようなハンドルは、特に、プレイ中に非常に高い正確性を実現できないという事実に基づく欠点を有する。円形断面の存在によって、選手は、特にフォアハンドのショット若しくはバックハンドのショットのような異なる種類のショットをするために、正確に手の位置をあわせることができない。
【０００７】
更に、国際出願公開第2004/112915号は、人間の手の特徴に合わせたS字型のラケットハンドルを提案している。その文書の教示によると、ハンドルの断面の異なる値は、選手の手の寸法から直接設定される。しかしながら、そのような寸法はある選手と別の選手とでは当然に異なるということから考えれば、前記文書は実際にハンドルで採られるべき形状に関して正確な教示を提示していない。
【特許文献１】欧州特許第0291576号明細書
【特許文献２】国際出願公開第2004/112915号明細書
【発明の開示】
【発明が解決しようとする課題】
【０００８】
そこで、本発明は上述した従来技術の様々な欠点を改善できるラケットハンドルを提案しようとする。本発明は、満足行くように人間工学的である一方、特にラケットの握りを変える時に、選手に高い正確性を保証するハンドルを特に提案しようとする。
【課題を解決するための手段】
【０００９】
このことを達成するために、本発明は、少なくとも一つの第一の球状部を有するテニスラケットのハンドルを提示する。第一の球状部は、ハンドルの自由端の方向に位置する末端のくびれ部すなわち第一のくびれ部と、第一の大径部と、他のくびれ部すなわち中間のくびれ部とによって形成されている。第一の球状部は全ての箇所において八角形の断面を有し、その八角形は長方形をその各辺に対して４５°の角度で配置された四つの面取り部において面取りすることによって形成されている。第一の球状部の横断面の寸法は各くびれ部から大径部に向かってほぼ連続的に増大している。第一の球状部の横断面の寸法は一定の範囲内になるように設定されている。すなわち、A、B及びCがそれぞれ長方形の長さ及び幅及び各面取り部の長さを表す場合において、第一のくびれ部、第一の大径部及び第二のくびれ部におけるＡ、Ｂ及びＣの寸法が、
・AE1は３１．２５ｍｍから３３．２５ｍｍの範囲内、
・BE1は２７ｍｍから２９ｍｍの範囲内、
・CE1は８ｍｍから１４ｍｍの範囲内、
・AR1は３４．５ｍｍから３６．５ｍｍの範囲内、
・BR1は３０ｍｍから３２ｍｍの範囲内、
・CR1は１０ｍｍから１６ｍｍの範囲内、
・AE2は３０．５ｍｍから３２．５ｍｍの範囲内、
・BE2は２６．５ｍｍから２８．５ｍｍの範囲内、
・CE2は８ｍｍから１４ｍｍの範囲内、
となるように設定されている。
【００１０】
本発明の他の特徴は以下のとおりである。
・AE1は３１．７５ｍｍから３２．７５ｍｍの範囲内であり、３２．１５ｍｍから３２．３５ｍｍの範囲内であることが有益であり、特に３２．２５ｍｍであることが最も有益である。
・BE1は２７．５ｍｍから２８．５ｍｍの範囲内であり、２７．９ｍｍから２８．１ｍｍの範囲内であることが有益であり、特に２８ｍｍであることが最も有益である。
・CE1は９ｍｍから１３ｍｍの範囲内であり、９．７５ｍｍから１２．３ｍｍの範囲内であることが有益であり、特に１１ｍｍであることが最も有益である。
・AR1は３５ｍｍから３６ｍｍの範囲内であり、３５．４ｍｍから３５．６ｍｍの範囲内であることが有益であり、特に３５．５ｍｍであることが最も有益である。
・BR1は３０．５ｍｍから３１．５ｍｍの範囲内であり、３０．９ｍｍから３１．１ｍｍの範囲内であることが有益であり、特に３１ｍｍであることが最も有益である。
・CR1は１１ｍｍから１４．７５ｍｍの範囲内であり、１１．５ｍｍから１４．２５ｍｍの範囲内であることが有益であり、特に１３ｍｍであることが最も有益である。
・AE2は３１ｍｍから３２ｍｍの範囲内であり、３１．４ｍｍから３１．６ｍｍの範囲内であることが有益であり、特に３１．５ｍｍであることが最も有益である。
・BE2は２７ｍｍから２８ｍｍの範囲内であり、２７．４ｍｍから２７．６ｍｍの範囲内であることが有益であり、特に２７．５ｍｍであることが最も有益である。
・CE2は９ｍｍから１３ｍｍの範囲内であり、９．４ｍｍから１２ｍｍの範囲内であることが有益であり、特に１０．７ｍｍであることが最も有益である。
・ハンドルの各くびれ部と大径部における外部表面は、ハンドルの主軸と平行な三つの接線を形成する。
・末端のくびれ部と第一の大径部との間のハンドルの主軸に沿った長さは、２５ｍｍから５０ｍｍの範囲内であり、３０ｍｍから４０ｍｍの範囲内であることが好ましく、３４ｍｍから３６ｍｍの範囲内であることがより好ましく、特に３５ｍｍであることが最も好ましい。
・第一の大径部と中間のくびれ部との間のハンドルの主軸に沿った長さは、３５ｍｍから６０ｍｍの範囲内であり、４５ｍｍから５５ｍｍの範囲内であることが好ましく、４９ｍｍから５１ｍｍの範囲内であることがより好ましく、特に５０ｍｍであることが最も好ましい。
・ハンドルは、中間のくびれ部と、第二の大径部と、末端のくびれ部と反対側の連結くびれ部とによって形成される第二の球状部を有する。
・第二の球状部は全ての箇所において八角形の断面を有し、その寸法が中間のくびれ部から第二の大径部までほぼ連続的に変化し、第二の大径部におけるハンドルの横断面の寸法が、第一の大径部におけるハンドルの横断面の寸法と一致するように設定されている。
・中間のくびれ部と第二の大径部との間のハンドルの主軸に沿った長さは、２０ｍｍから７０ｍｍの範囲内であり、４０ｍｍから５０ｍｍの範囲内であることが好ましく、４４ｍｍから４６ｍｍの範囲内であることがより好ましく、特に４５ｍｍであることが最も好ましい。
【００１１】
本発明は、上述されたようなハンドルを有するラケット、特にテニス、バドミントン若しくはスカッシュ用ラケットのようなラケットも提示する。
【００１２】
本発明は、標準ハンドルと呼ばれる上記のようなハンドルと、ｎハンドルと呼ばれるハンドルと、ｍハンドルと呼ばれるハンドルとを含む一群のラケットハンドルも提示する。ｎハンドルにおいては、ｎは１以上であり、それぞれが標準ハンドルの横断面の寸法より小さい横断面の寸法を有し、ｍハンドルにおいては、ｍは１以上であり、それぞれが標準ハンドルの横断面の寸法より大きい横断面の寸法を有する。小さいサイズの各ハンドルの横断面の寸法は、１からｎの範囲内の各整数−iに対して規定され、以下の式、
・AE1(-i)=AE1-iA'
・BE1(-i)=BE1-iB'
・CE1(-i)=CE1-iC'
・AR1(-i)=AR1-iA'
・BR1(-i)=BR1-iB'
・CR1(-i)=CR1-iC'
・AE2(-i)=AE2-iA'
・BE2(-i)=BE2-iB'
・CE2(-i)=CE2-iC'
によって表される。また、大きいサイズの各ハンドルの横断面の寸法は、１からｍの範囲内の各整数ｊに対して規定され、以下の式、
・AE1(+j)=AE1+jA'
・BE1(+j)=BE1+jB'
・CE1(+j)=CE1+jC'
・AR1(+j)=AR1+jA'
・BR1(+j)=BR1+jB'
・CR1(+j)=CR1+jC'
・AE2(+j)=AE2+jA'
・BE2(+j)=BE2+jB'
・CE2(+j)=CE2+jC'
によって表される。式中、A'及びB'が０．５ｍｍから１．５ｍｍの範囲内であり、C'が０．２５ｍｍから１ｍｍの範囲内である。
【００１３】
本発明の有益な性質によると、A'は１ｍｍから１．３ｍｍの範囲内であることが好ましく、特に１．１５ｍｍであることが最も好ましく、B'は０．９ｍｍから１．１ｍｍの範囲内であることが好ましく、特に１．０ｍｍであることが最も好ましく、C'は０．５５ｍｍから０．７５ｍｍの範囲内であることが好ましく、特に０．６５ｍｍであることが最も好ましい。
【００１４】
最後に、本発明は上述したような一群のハンドルに属する対応するハンドルをそれぞれ有する一群のラケットも提示する。
本発明は限定的ではない単なる例として添付の図面を参照して以下に説明される。
【発明を実施するための最良の形態】
【００１５】
この実施例においては、ラケットはテニスラケットである。図１に示されるように、ラケットは、「グリップ」として知られるハンドル２を第一に有する。ハンドル２は被覆用ストリップ（図示しない）によって覆われるのに適している。このハンドル２は、ストリング６が堅固に張ってあるフレーム４まで延びている。そうは言うものの、本発明は、ストリング６の代わりに隙間の無い硬質の打撃面を用いた他のラケットにも適用できる。
【００１６】
図２以下は、ハンドル２の形状と寸法をより正確に図示している。以下において、これらの寸法は、剥き出しの時、すなわち上述の被覆用ストリップが付けられていない時のハンドルに関連する。
【００１７】
ハンドル２は第一の球状部まで延びる既知の型のグリップエンド８を第一に有する。第一の球状部はその全体が参照番号１０で示されている。第一の球状部１０は、二つのくびれ部の間、すなわち横断面の寸法が小さい領域の間に形成され、また、中間の大径部、すなわち横断面の寸法が大きい領域によって形成されている。このように、E1がグリップエンド８近くの末端のくびれ部を指し示し、E2がグリップエンド８から離れた中間のくびれ部を指し示し、R1が上述の大径部を示す。
【００１８】
この第一の球状部１０の全ての箇所において、ハンドル２の断面は、くびれ部E1における断面図である図３に示されるような八角形の形状をしている。より正確には、八角形は、長さAE1及び幅BE1の長方形１２をCE1で示された長さの四つの面取り部１４において面取りすることによって形成されている。
【００１９】
図示される実施例においては、面取り部１４は長方形１２の各辺に対して４５°の角度で配置されている。さらに、四つの面取り部１４は同一の長さで示されているが、それらが相互に数パーセント程度は異なってもよいことが理解されるであろう。同様に、図４及び５に関して、大径部R1におけるハンドルの特徴的な寸法がAR1、BR1及びCR1として記載されており、別のくびれ部E2におけるハンドルの特徴的な寸法がAE2、BE2及びCE2として記載されている。
【００２０】
ハンドル２の横断面の寸法は、くびれ部E1から大径部R1に向かってほぼ連続的に増大する。このことは、横断面の寸法がほぼ一定であるハンドルの領域が潜在的に存在するであろうことを意味する。同様に、ハンドルの横断面の寸法は、大径部R1からくびれ部E2に向かってほぼ連続的に減少する。最後に、正面図において、ハンドルの側面が、各くびれ部及び大径部において、T1、T2及びT3と呼ばれる三つの接線を形成している。それらの接線はハンドル２の主軸Ｘ−Ｘとほぼ平行である。
【００２１】
くびれ部E1（図３）におけるハンドルの寸法は以下のとおりである。
・AE1は３１．２５ｍｍから３３．２５ｍｍの範囲内であり、３１．７５ｍｍから３２．７５ｍｍの範囲内であることが好ましく、３２．１５ｍｍから３２．３５ｍｍの範囲内であることがより好ましく、特に３２．２５ｍｍであることが最も好ましい。
・BE1は２７ｍｍから２９ｍｍの範囲内であり、２７．５ｍｍから２８．５ｍｍの範囲内であることが好ましく、２７．９ｍｍから２８．１ｍｍの範囲内であることが好ましく、特に２８ｍｍであることが最も好ましい。
・CE1は８ｍｍから１４ｍｍの範囲内であり、９ｍｍから１３ｍｍの範囲内であることが好ましく、９．７５ｍｍから１２．３ｍｍの範囲内であることがより好ましく、特に１１ｍｍであることが最も好ましい。
【００２２】
大径部R1（図４）におけるハンドルの寸法は以下のとおりである。
・AR1は３４．５ｍｍから３６．５ｍｍの範囲内であり、３５ｍｍから３６ｍｍの範囲内であることが好ましく、３５．４ｍｍから３５．６ｍｍの範囲内であることがより好ましく、特に３５．５ｍｍであることが最も好ましい。
・BR1は３０ｍｍから３２ｍｍの範囲内であり、３０．５ｍｍから３１．５ｍｍの範囲内であることが好ましく、３０．９ｍｍから３１．１ｍｍの範囲内であることがより好ましく、特に３１ｍｍであることが最も好ましい。
・CR1は１０ｍｍから１６ｍｍの範囲内であり、１１ｍｍから１４．７５ｍｍの範囲内であることが好ましく、１１．５ｍｍから１４．２５ｍｍの範囲内であることがより好ましく、特に１３ｍｍであることが最も好ましい。
【００２３】
くびれ部E2（図５）におけるハンドルの寸法は以下のとおりである。
・AE2は３０．５ｍｍから３２．５ｍｍの範囲内であり、３１ｍｍから３２ｍｍの範囲内であることが好ましく、３１．４ｍｍから３１．６ｍｍの範囲内であることがより好ましく、特に３１．５ｍｍであることが最も好ましい。
・BE2は２６．５ｍｍから２８．５ｍｍの範囲内であり、２７ｍｍから２８ｍｍの範囲内であることが好ましく、２７．４ｍｍから２７．６ｍｍの範囲内であることがより好ましく、特に２７．５ｍｍであることが最も好ましい。
・CE2は８ｍｍから１４ｍｍの範囲内であり、９ｍｍから１３ｍｍの範囲内であることが好ましく、９．４ｍｍから１２ｍｍの範囲内であることがより好ましく、特に１０．７ｍｍであることが最も好ましい。
【００２４】
更に、ハンドル２の主軸X-Xに沿って測定された長さのうち、くびれ部E1と大径部R1との間の第一の長さ及び大径部R1と別のくびれ部E2との間の第二の長さがそれぞれl1及びl2として記載されている。
【００２５】
そのような前提の下において、l1は２５ｍｍから５０ｍｍの範囲内であり、３０ｍｍから４０ｍｍの範囲内であることが好ましく、３４ｍｍから３６ｍｍの範囲内であることがより好ましく、特に３５ｍｍであることが最も好ましい。さらに、ｌ2は３５ｍｍから６０ｍｍの範囲内であり、４５ｍｍから５５ｍｍの範囲内であることが好ましく、４９ｍｍから５１ｍｍの範囲内であることがより好ましく、特に５０ｍｍであることが最も好ましい。
【００２６】
好都合なことに、第一の球状部１０は、上述した中間のくびれ部E2と第二の大径部R2と第三のくびれ部E3によって形成される第二の球状部２０まで延びており、それによってハンドル２がフレーム４と連結されている。球状部１０について説明したのと同様に、第二の球状部２０は、寸法がくびれ部E2から大径部R2に向かってほぼ連続的に変化する八角形の断面を有し、その後、第二の大径部R2から連結側のくびれ部E3に向かってほぼ連続的に減少する。
【００２７】
第二の大径部R2付近のハンドルの寸法は、上述したように第一の大径部R1に対応するハンドルの寸法とほぼ一致する。更に、連結側のくびれ部E3の寸法は、同様に上述したように、末端のくびれ部E1におけるハンドルの寸法とほぼ等しい。
【００２８】
最後に、軸X-Xに沿って測定された距離のうち、くびれ部E2と大径部R2との間の距離に対応する長さｌ3は、２０ｍｍから７０ｍｍの範囲内であり、４０ｍｍから５０ｍｍの範囲内であることが好ましく、４４ｍｍから４６ｍｍの範囲内であることがより好ましく、特に４５ｍｍであることが最も好ましい。さらに、大径部R2と連結側のくびれ部E3との間の長さは、２０ｍｍから７０ｍｍの範囲内であると有益である。
【００２９】
本発明は、上述したハンドル２の基本構造に基づいて決定される種々の寸法を有する一群のハンドルについても提示する。上述のような寸法の特徴を有するハンドル2は、本記述を明確にするために、「標準」ハンドル若しくは「０」ハンドルと呼ぶ。そうは言うものの、この「標準」ハンドルは、ラケットスポーツ業界において数字３が一般に付与されているハンドル、すなわち最も多くの使用者に適したハンドルに対応する。
【００３０】
初めに、「−１」サイズのハンドル、すなわち上述の「標準」サイズより次に小さいサイズのハンドルに関して述べると、「−１」サイズのハンドルは図１から５で示されたハンドル２、すなわち二つの連続する球状部を有するハンドルと同一の一般的な形状を有している。「−１」サイズのハンドルに関して、末端のくびれ部E1における寸法は、AE1(-1)、AE2(-1)及びCE1(-1)として記載され、大径部R1における寸法はAR1(-1)、BR1(-1)及びCR1(-1)と記載され、また、くびれ部E2における寸法はAE2(-1)、BE2(-1)及びCE2(-1)と記載される。このような前提の下において、各寸法は以下の式によって表される。
AE1(-1)＝AE1-A'
BE1(-1)＝BE1-B'
CE1(-1)＝CE1-C'
ここに、A'は０．５ｍｍから１．５ｍｍの範囲内であり、１ｍｍから１．３ｍｍの範囲内であることが好ましく、特に１．１５ｍｍであることが最も好ましい。B'は０．５ｍｍから１．５ｍｍの範囲内であり、０．９ｍｍから１．１ｍｍの範囲内であることが好ましく、特に１．０ｍｍであることが最も好ましい。また、C'は０．２５ｍｍから１ｍｍの範囲内であり、０．５５ｍｍから０．７５ｍｍの範囲内であることが好ましく、特に０．６５ｍｍであることが最も好ましい。
同様に以下の式によってそれぞれの寸法が表される。
AR1(-1)＝AR1-A'
BR1(-1)＝BR1-B'
CR1(-1)＝CR1-C'
AE2(-1)＝AE2-A'
BE2(-1)＝BE2-B'
CE2(-1)＝CE2-C'
【００３１】
言い換えると、「−１」サイズの寸法は、第一の球状部の三つの特徴的な領域において、標準すなわち「０」サイズの寸法と関連している。
【００３２】
一般に、「−i」サイズのハンドル（ｎハンドル）が考慮される場合、以下の式でその関係が表される。なお、ｉは１以上（１からｎ）の整数である。
AE1(-i)=AE1-iA'
BE1(-i)=BE1-iB'
CE1(-i)=CE1-iC'
AR1(-i)=AR1-iA'
BR1(-i)=BR1-iB'
CR1(-i)=CR1-iC'
AE2(-i)=AE2-iA'
BE2(-i)=BE2-iB'
CE2(-i)=CE2-iC'
【００３３】
同様に、ポジティブサイズのハンドル、すなわち上述した標準サイズの横断面の寸法より大きな横断面の寸法を有するハンドルも、同様に二つの連続する球状部を有する一般的な形状をしている。「＋ｊ」サイズのハンドル（ｍハンドル）に関して、末端のくびれ部E1における寸法はAE1(+ｊ)、BE1(+ｊ)及びCE1(+ｊ)で表され、大径部R1における寸法はAR1(+ｊ)、BR1(+ｊ)及びCR1(+ｊ)で表され、また、くびれ部E2における寸法はAE2(+ｊ)、BE2（＋ｊ）及びCE2(+ｊ)で表される。なお、ｊは１以上（１からｍ）の整数である。このような前提の下、以下の式でその関係が表される。
AE1(+j)=AE1+jA'
BE1(+j)=BE1+jB'
CE1(+j)=CE1+jC'
AR1(+j)=AR1+jA'
BR1(+j)=BR1+jB'
CR1(+j)=CR1+jC'
AE2(+j)=AE2+jA'
BE2(+j)=BE2+jB'
CE2(+j)=CE2+jC'
【００３４】
i若しくはjが1以上のいかなる値をとったとしても、第二の大径部R2における「-ｉ」若しくは「+ｊ」サイズのハンドルの特徴的な寸法は、第一の大径部R1における寸法とほぼ一致する。さらに、連結側のくびれ部E3におけるこれらのハンドルの様々な寸法は、多少の差はあるものの末端のくびれ部E1におけるハンドルの寸法とほぼ等しくなる。
【００３５】
最後に、i及びjの全ての値について、「-i」または「+j」サイズのハンドルの軸方向の長さｌ1からｌ3は、標準ハンドルについて上述した値と一致する。
【００３６】
本発明は、上述の目的を達成できる。
【００３７】
したがって、選手は、フォアハンドのショットを打つために、本発明のラケット上にある最適な握りのための第一の球状部１０を用いることができる。任意である第二の球状部は、両手でショットを打つ場合に、バックハンドのショットのために選手によって任意に用いられるであろう。
【００３８】
加えて、本発明のハンドルが全ての箇所において八角形の断面を有するという事実は、有益なことである。この構造は、異なるショットを打つために、選手が手を正確に位置決めすることを可能にする。
【００３９】
最後に、本発明のハンドルの特徴的な横断面の寸法は、選手に快適性と堅固な握りとをもたらすことに関して有益であることが理解される。本発明のハンドルは、手とハンドルとの接触の質を大幅に向上させることが可能である。
【００４０】
このことは、同一の作用力に対してより強い力をもたらし、若しくは等しい力に対してより少ない握力ですむ。手が滑ることは、本発明によるハンドルを用いることによって減少する。最後に、快適性及び精度が本発明のハンドルを用いることによって改善される。
【図面の簡単な説明】
【００４１】
【図１】本発明によるテニスラケットの正面図である。
【図２】図１のラケットに対応するハンドルの拡大正面図である。
【図３−５】図２のＩＩＩ−ＩＩＩ線、ＩＶ−ＩＶ線及Ｖ−Ｖ線断面図である。
【符号の説明】
【００４２】
２  ハンドル
１０  第１の球状部
１４  面取り部
２０  第２の球状部
Ｅ1  末端のくびれ部
Ｅ2  中間のくびれ部
Ｅ3  連結側のくびれ部
Ｒ1  大径部
Ｒ2  大径部
Ｔ1  接線
Ｔ2  接線
Ｔ3  接線
【図１】
2007209753.tif 000003
【図２】
2007209753.tif 000004
【図３】
2007209753.tif 000005
【図４】
2007209753.tif 000006
【図５】
2007209753.tif 000007
【手続補正書】
【提出日】平成19年2月28日(2007.2.28)
【手続補正１】
【補正対象書類名】明細書
【補正対象項目名】００４１
【補正方法】変更
【補正の内容】
【００４１】
【図１】本発明によるテニスラケットの正面図である。
【図２】図１のラケットに対応するハンドルの拡大正面図である。
【図３】図２のIII-III線断面図である。
【図４】図２のIV-IV線断面図である。
【図５】図２のV-V線断面図である。